(57)【特許請求の範囲】
【請求項１】
底部と、底部にヒンジ連結され、且つ、箱型に組み立てられた状態から、先に底部に重なるように倒される短側壁と、同じく底部にヒンジ連結され、且つ、箱型に組み立てられた状態から、短側壁に次いで、短側壁の上に重ねられる長側壁とを有する折り畳むことが可能な折り畳みコンテナーにおいて、前記底部に形成された長辺側土手部が、前記底部の底板に略垂直に立設された内壁と該内壁の上端から略水平に延在する水平部と該水平部の先端から下方に垂設された外壁とにより形成されているとともに、前記短側壁を、前記底部に重なるように倒した際に、前記短側壁が重ならない中央領域のみに位置する、前記長辺側土手部の前記内壁を、前記外壁から離反する方向に膨出するように面変化させて、前記底部の中央部方向に膨出させることにより、前記内壁に略垂直な相対する略三角形状の側壁と、前記内壁の上端部から前記底部の底板に向かう傾斜面を有する張出壁とからなる張出部が形成されており、且つ、前記張出部の底辺が、前記底部の底板まで達しており、更に、前記底部に形成された長辺側土手部にヒンジ連結された長側壁を倒す際に、前記長辺側土手部の内壁に形成された前記張出部が、前記長側壁に当接しないように、前記張出部の前記底部の底板からの高さ及び前記長辺側土手部の内壁からの最大張出幅が設定されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部と、底部の相対する長辺部に形成された長辺側土手部に、ヒンジ部材を介して連結された長側壁と、同じく底部の相対する短辺部に形成された短辺側土手部に、ヒンジ部材を介して連結された短側壁とからなり、底部に対して略垂直に長側壁と短側壁を立てることにより、箱型に組み立てられ、また、底部の上に重なるように、長側壁及び短側壁を倒すことにより折り畳まれるように構成された折り畳みコンテナーが知られている。このような折り畳みコンテナーは、一例として、特許文献１に開示されている。
【特許文献１】特開２００１−１３０５５０号公報
【発明の開示】
【発明が解決しようとする課題】
【０００３】
上述した従来の折り畳みコンテナーにおいては、長側壁がヒンジ連結されている底部の長辺側土手部が、短辺側土手部に比べて、強度や剛性の点から弱く、変形し易いという問題があった。特に、折り畳みコンテナーの大型化に伴い、長側壁の横幅が、１メートルを越えるものや、２メートル近くにもなると、長側壁がヒンジ連結されている底部の長辺側土手部も長くなり、従って、底部の長辺側土手部が変形したり、損傷するという問題があった。
【０００４】
箱型に組み立てられた折り畳みコンテナーを運搬する際には、通常、作業者は、一方の長側壁側に位置し、両手で、それぞれ、相対する短側壁の中央上部に形成されている把持部を持って、箱型に組み立てられた折り畳みコンテナーを運搬するが、短側壁の横幅は短いので、短側壁が内側に大きく傾倒したり湾曲するようなことはなく、従って、折り畳みコンテナーに収納されている物品が損傷するようなことはない。しかしながら、上述したように、長側壁の横幅が、１メートルを越えるものや、２メートル近くにもなると、相対する短側壁の中央上部に形成されている把持部を持って、箱型に組み立てられた折り畳みコンテナーを運搬することが難しくなり、作業者は、一方の長側壁側に位置した後に、両手で、それぞれ相対する長側壁の適当な把持部を持って、箱型に組み立てられた折り畳みコンテナーを運搬することが、通常、行われている。このように、相対する長側壁に形成されている把持部を持って、箱型に組み立てられた折り畳みコンテナーを運搬すると、底部の長辺側土手部が変形したり、損傷するという問題があった。
【０００５】
また、折り畳みコンテナーが箱型に組み立てられた状態においては、長側壁は、底部の長辺側土手部に載置され、また、短側壁は、底部の短辺側土手部に載置されることになるが、箱型に組み立てられた長側壁及び短側壁に、上方から大きな負荷がかかると、従来の折り畳みコンテナーにおいては、底部の強度や剛性が低いために、長辺側土手部や短辺側土手部が、外側に倒れたり内側に倒れたり、或いは、座屈等の損傷が発生するという問題があった。
【０００６】
更に、箱型に組み立てられた折り畳みコンテナーを、自動倉庫等に、所定の間隔を置いて配置されたラックに載置することが行われているが、従来の折り畳みコンテナーにおいては、底部の強度や剛性が低いために、底部が下方に湾曲し、この下方への湾曲変形により、底部の長辺側土手部や短辺側土手部が内側に倒れたり、或いは、座屈等の損傷が発生するという問題があった。
【０００７】
本発明の目的は、上述した従来の折り畳みコンテナーが有する課題を解決することにある。
【課題を解決するための手段】
【０００８】
本発明は、上述した目的を達成するために、底部と、底部にヒンジ連結され、且つ、箱型に組み立てられた状態から、先に底部に重なるように倒される短側壁と、同じく底部にヒンジ連結され、且つ、箱型に組み立てられた状態から、短側壁に次いで、短側壁の上に重ねられる長側壁とを有する折り畳むことが可能な折り畳みコンテナーにおいて、前記底部に形成された長辺側土手部が、前記底部の底板に略垂直に立設された内壁と該内壁の上端から略水平に延在する水平部と該水平部の先端から下方に垂設された外壁とにより形成されているとともに、前記短側壁を、前記底部に重なるように倒した際に、前記短側壁が重ならない中央領域のみに位置する、前記長辺側土手部の前記内壁を、前記外壁から離反する方向に膨出するように面変化させて、前記底部の中央部方向に膨出させることにより、前記内壁に略垂直な相対する略三角形状の側壁と、前記内壁の上端部から前記底部の底板に向かう傾斜面を有する張出壁とからなる張出部が形成されており、且つ、前記張出部の底辺が、前記底部の底板まで達しており、更に、前記底部に形成された長辺側土手部にヒンジ連結された長側壁を倒す際に、前記長辺側土手部の内壁に形成された前記張出部が、前記長側壁に当接しないように、前記張出部の前記底部の底板からの高さ及び前記長辺側土手部の内壁からの最大張出幅を設定したものである。
【発明の効果】
【０００９】
底部に形成された長辺側土手部の内壁に、該長辺側土手部の内壁を、前記底部の中央部方向に膨出させることにより張出部を形成したので、底部に形成された長辺側土手部の強度や剛性を向上させることができる。
【実施例】
【００１０】
以下に、本発明の実施例について説明するが、本発明の趣旨を越えない限り何ら、本実施例に限定されるものでない。
【００１１】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【００１２】
長側壁２は、横長の略長方形状の板状部２ａを有しており、長側壁２の両垂直端には、板状部２ａに略垂直で、且つ、長側壁２の内壁面方向に延在する、縦長の係合枠２ｂが形成されており、係合枠２ｂには、上下方向に所定の間隔を置いて、板状部２ａに略平行な嵌合孔２ｂ１が、適当数、形成されている（本実施例においては、２個の嵌合孔２ｂ１が形成されている。）。
【００１３】
長側壁２の板状部２ａの上部両端角部付近には、それぞれ、略コの字状のスリット２ｃが形成されており、略コの字状のスリット２ｃを形成することにより、スリット２ｃで囲まれた部分が、水平方向に延在する片持ち状の係止弾性片２ｄが形成されている。係止弾性片２ｄの内面側の先端には、係止突部２ｄ１が突設されており、係止突部２ｄ１の係合枠２ｂ側は、係合枠２ｂの内面側の面と略平行な垂直面に形成されている。
【００１４】
長側壁２の板状部２ａの上下端には、板状部２ａに略垂直で、且つ、外側に延在する上端水平リブ２ｅ及び下端水平リブ２ｆが形成されており、また、板状部２ａの外面（折り畳みコンテナーを箱型に組み立てた際に、外側に位置する面）には、適当数の垂直リブ２ｇや水平リブ２ｈが形成されている。
【００１５】
短側壁３は、横長の略長方形状の板状部３ａを有しており、板状部３ａの上下端には、板状部３ａに略垂直で、且つ、外側に延在する上端水平リブ３ｂ及び下端水平リブ３ｃが、それぞれ形成されており、また、板状部３ａの左右端には、板状部３ａに略垂直で、且つ、外側に延在する端部垂直リブ３ｄが、それぞれ形成されている。端部垂直リブ３ｄの外側には、縦長の延長枠３ｅが形成されており、延長枠３ｅには、端部垂直リブ３ｄに沿って適当数の嵌合突部３ｅ１が形成されている（本実施例においては、上述した係合枠２ｂに形成された２個の嵌合孔２ｂ１に対応して、２個の嵌合突部３ｅ１が形成されている。）。嵌合突部３ｅ１は、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）には、適当数の垂直リブ３ｆや水平リブ３ｇが形成されている。
【００１６】
折り畳みコンテナーを、図３に示されている折り畳まれた状態から、図１に示されている箱型に組み立てるには、先ず最初に、略水平状態の長側壁２を、垂直方向に回動させて、図２に示されているように、略垂直に立てる。次いで、底部１に重なるようにして折り畳まれている短側壁３を、略水平状態から垂直方向に回動させると、短側壁３の延長枠３ｅが、長側壁２に形成された係合枠２ｂに対向するように接近し、更に、短側壁３を、垂直方向に回動させると、短側壁３の延長枠３ｅの端部垂直面が、長側壁２の内面から突出している係止弾性片２ｄの係止突部２ｄ１を押して、係止弾性片２ｄを、外側方向に、係止弾性片２ｄの弾性に抗して、湾曲させる。更に、短側壁３を、垂直方向に回動させると、短側壁３の延長枠３ｅに突設された嵌合突部３ｅ１が、長側壁２の係合枠２ｂに形成された嵌合孔２ｂ１に挿入される。この短側壁３の延長枠３ｅに突設された嵌合突部３ｅ１が、長側壁２の係合枠２ｂに形成された嵌合孔２ｂ１に挿入される過程において、短側壁３の延長枠３ｅの端部垂直面から、長側壁２に形成された係止弾性片２ｄの係止突部２ｄ１が外れて、係止弾性片２ｄが、その弾性により元の位置に戻り、係止弾性片２ｄの係止突部２ｄ１が、短側壁３の延長枠３ｅに当接或いは接近して位置する。従って、短側壁３が、底部１方向に回動しようとしても、短側壁３の延長枠３ｅが、長側壁２に形成された係止弾性片２ｄの係止突部２ｄ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００１７】
箱型に組み立てられた折り畳みコンテナーを折り畳む際には、長側壁２に形成された係止弾性片２ｄの係止突部２ｄ１を、短側壁３の延長枠３ｅから外れる方向に、即ち、外側方向に押して、長側壁２の係止弾性片２ｄを、その弾性に抗して湾曲させる。長側壁２に形成された係止弾性片２ｄの係止突部２ｄ１が、短側壁３の延長枠３ｅから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００１８】
底部１の略長方形状の底板１ｃの相対する長辺に沿って形成された長辺側土手部１ａは、底板１ｃの長辺に、略垂直に立設された内壁１ａ１と、該内壁１ａ１の上端から略水平に延在する水平部１ａ２と、該水平部１ａ２の先端から下方に垂設された外壁１ａ３とにより形成されており、長辺側土手部１ａの長さ方向に対して垂直な断面形状は、略逆Ｕ字状に形成されている。
【００１９】
底部１の略長方形状の底板１ｃの相対する長辺に沿って形成された長辺側土手部１ａには、長辺側土手部１ａの内壁１ａ１を、底板１ｃの中央部方向に膨出させることにより、換言すれば、長辺側土手部１ａの外壁１ａ３から離反する方向に膨出させることにより張出部Ｖ１が形成されている。
【００２０】
張出部Ｖ１は、長辺側土手部１ａの中央領域に形成されており、張出部Ｖ１は、内壁１ａ１に略垂直な相対する側壁ｖ１と張出壁ｖ２とにより形成されている。本実施例においては、側壁ｖ１は、短辺側土手部１ｂから見た形状が、略三角形状に形成されており、その底辺は、底板１ｃまで達しており、また、張出壁ｖ２は、内壁１ａ１の上端部から底板１ｃに向かう傾斜面ｖ２ａを有している。
【００２１】
上述したように、底部１に形成された長辺側土手部１ａの中央領域に、長辺側土手部１ａを形成する内壁１ａ１を、底板１ｃの中央部方向に膨出させることにより、換言すれば、長辺側土手部１ａの外壁１ａ３から離反する方向に膨出させることにより面変化させて、張出部Ｖ１を形成することにより、長辺側土手部１ａの強度や剛性を向上させることができる。
【００２２】
長側壁２の折り畳み作業の際に、換言すれば、長側壁２を略垂直状態から、短側壁３に重なるように倒す折り畳み作業の際に、張出部Ｖ１が、長側壁２に当接しないように、張出部Ｖ１の高さ（底部１の底板１ｃから張出部Ｖ１の高さ）Ｈ１や張出部Ｖ１の最大張出幅（長辺側土手部１ａを形成する内壁１ａ１から、張出部Ｖ１最も張り出している部分までの距離）Ｄ１を、適宜、設定する。
【００２３】
上述した実施例には、長辺側土手部１ａの中央領域に、張出部Ｖ１を形成した例が示されているが、長辺側土手部１ａの略全領域に亘たって、張出部Ｖ１を形成することもできる。また、このような張出部Ｖ１は、長辺側土手部１ａの長さ方向に、所定の間隔をおいて、複数、形成することもできる。
【００２４】
また、上述した実施例に限定されることなく、例えば、図６に示されているように、長辺側土手部１ａを形成する内壁１ａ１を、底板１ｃの中央部方向に膨出させることにより、換言すれば、長辺側土手部１ａの外壁１ａ３から離反する方向に膨出させることにより面変化させて、底部１の底板１ｃに略垂直に、天部ｖ１’と垂直壁部ｖ２’とからなる筒状の張出部Ｖ２を、長辺側土手部１ａの長さ方向に沿って、１本或いは複数本、形成することもできる。本実施例においては、天部ｖ１’が方形状の略角筒状の張出部Ｖ２が示されているが、天部ｖ１’が半円形状や三角形状や台形状等の筒状の張出部Ｖ２とすることもできる。
【００２５】
更に、図７に示されているように、長辺側土手部１ａを形成する内壁１ａ１を、底板１ｃの中央部方向に膨出させることにより、換言すれば、長辺側土手部１ａの外壁１ａ３から離反する方向に膨出させることにより面変化させて、短辺側土手部１ｂから見た形状が、略三角形状の側壁ｖ１”と、内壁１ａ１の上端部から底板１ｃに向かう傾斜面ｖ２”とからなる略角錐状の張出部Ｖ３を、長辺側土手部１ａの長さ方向に沿って、複数本、形成することもできる。
【００２６】
上述したように、底部１に形成された長辺側土手部１ａに、長辺側土手部１ａの内壁１ａ１を、底板１ｃの中央部方向に膨出させることにより、換言すれば、長辺側土手部１ａの外壁１ａ３から離反する方向に膨出させることにより面変化させて、張出部Ｖ１、Ｖ２、Ｖ３を形成したので、長辺側土手部１ａの強度や剛性を向上させることができる。
【図面の簡単な説明】
【００２７】
【図１】図１は、本発明の折り畳みコンテナーが箱型に組み立てられた状態の斜視図である。
【図２】図２は、本発明の折り畳みコンテナーの組み立て途中或いは折り畳み途中の斜視図である。
【図３】図３は、本発明の折り畳みコンテナーの折り畳まれた状態の斜視図である。
【図４】図４は、本発明の折り畳みコンテナーの底部及び長側壁の部分拡大斜視図である。
【図５】図５は、長辺側土手部の長さ方向に対して垂直な長側壁及び底部の垂直断面図である。
【図６】図６は、別の実施例の張出部が形成された本発明の折り畳みコンテナーの底部及び長側壁の部分拡大斜視図である。
【図７】図７は、更に別の実施例の張出部が形成された本発明の折り畳みコンテナーの底部及び長側壁の部分拡大斜視図である。
【符号の説明】
【００２８】
Ｖ１〜Ｖ３・・・・・・・・・・・・・・・・張出部
１・・・・・・・・・・・・・・・・・・・・底部
１ａ・・・・・・・・・・・・・・・・・・・長辺側土手部
１ａ１・・・・・・・・・・・・・・・・・・内壁
１ｂ・・・・・・・・・・・・・・・・・・・短辺側土手部
２・・・・・・・・・・・・・・・・・・・・長側壁
３・・・・・・・・・・・・・・・・・・・・短側壁
【図１】
0004684558.tif 000002
【図２】
0004684558.tif 000003
【図３】
0004684558.tif 000004
【図４】
0004684558.tif 000005
【図５】
0004684558.tif 000006
【図６】
0004684558.tif 000007
【図７】
0004684558.tif 000008